(57)【要約】【課題】視認性の向上を図ることが可能な表示構造体を提供する。【解決手段】第１の偏光軸を有する第１の偏光を透過させ、第１の偏光とは異なる偏光軸を有する偏光を透過させない第１偏光部材と、第２の偏光軸を有する第２の偏光を透過させ、第２の偏光とは異なる偏光軸を有する偏光を透過させない第２偏光部材とを備え、第１偏光部材と第２偏光部材とは、第１の偏光軸と第２の偏光軸とが直交するように、所定方向に並んで配置され、第１偏光部材、および第２偏光部材それぞれには、マークが施され、マークが施されている部分には、光学樹脂が充填される、表示構造体が、提供される。【選択図】図４
2020003607.tif 000002
【特許請求の範囲】
【請求項１】
第１の偏光軸を有する第１の偏光を透過させ、前記第１の偏光とは異なる偏光軸を有する偏光を透過させない第１偏光部材と、
第２の偏光軸を有する第２の偏光を透過させ、前記第２の偏光とは異なる偏光軸を有する偏光を透過させない第２偏光部材と、
を備え、
前記第１偏光部材と前記第２偏光部材とは、前記第１の偏光軸と前記第２の偏光軸とが直交するように、所定方向に並んで配置され、
前記第１偏光部材、および前記第２偏光部材それぞれには、マークが施され、
前記マークが施されている部分には、光学樹脂が充填される、表示構造体。
【請求項２】
前記光学樹脂は、ＯＣＲ（Optically  Clear  Resin）である、請求項１に記載の表示構造体。
【請求項３】
前記第１偏光部材と前記第２偏光部材とは、前記光学樹脂により貼り合わされる、請求項１または２に記載の表示構造体。
【請求項４】
前記第１の偏光を透過させ、前記第１の偏光とは異なる偏光軸を有する偏光を透過させない第３偏光部材と、
前記第２の偏光軸を有する第２の偏光を透過させ、前記第２の偏光とは異なる偏光軸を有する偏光を透過させない第４偏光部材と、
をさらに備え、
前記第３偏光部材および前記第４偏光部材それぞれは、前記第１偏光部材および前記第２偏光部材と、光源との間に配置される、請求項１〜３のいずれか１項に記載の表示構造体。
【請求項５】
前記光源をさらに備える、請求項４に記載の表示構造体。
【請求項６】
前記第１偏光部材および前記第２偏光部材を透過した光を減衰させる光減衰部材をさらに備える、請求項１〜５のいずれか１項に記載の表示構造体。
【請求項７】
前記第１偏光部材および前記第２偏光部材を透過した光を拡散させる拡散部材をさらに備える、請求項１〜６のいずれか１項に記載の表示構造体。
【発明の詳細な説明】
【技術分野】
【０００１】
本発明は、表示構造体に関する。
【背景技術】
【０００２】
偏光板を利用して表示を切り替える装置に関する技術が、開発されている。上記技術としては、例えば下記の特許文献１に記載の技術が挙げられる。
【先行技術文献】
【特許文献】
【０００３】
【特許文献１】実公昭６１−２５００２号公報
【発明の概要】
【発明が解決しようとする課題】
【０００４】
所定の偏光軸を有する偏光を透過させ、透過する偏光とは異なる偏光軸を有する偏光を透過させない機能を有する偏光部材がある。
【０００５】
偏光部材としては、“所定の偏光軸を有する偏光を透過させ、他の偏光軸を有する偏光を吸収する吸収型偏光部材”が一般的に用いられている。吸収型偏光部材の一例である吸収型偏光フィルムは、例えば“ヨウ素化合物を内部に浸透させたＰＶＡ（polyvinyl  alcohol）フィルムを一方向に延伸させて、架橋処理を施すこと”により製造される。
【０００６】
吸収型偏光部材に対しては、例えば“マークの形状に対応するように吸収型偏光部材の一部を抜く穴抜き加工や、レーザー加工を施すこと”によって、任意の形状のマークを施すことが可能である。
【０００７】
また、例えば、上記のようにマークが施された２つの偏光部材を重ね合わせた構成を有する表示構造体を用いることによって、表示されるマークの切り替えを実現することができる。具体的には、表示構造体は、例えば“マークがそれぞれ施され、かつ透過する偏光方向が互いに直交する２つの偏光部材”を重ね合わせた構造を有する。表示構造体に対して偏光を照射することによって、表示構造体を透過する光を目にする者は、照射される偏光の偏光軸に対応するマークを認識することが可能である。つまり、表示構造体に照射される偏光の偏光軸を制御することによって、表示されるマークの切り替えが実現される。
【０００８】
しかしながら、例えば表示構造体においてマークが重なっている部分がある場合、当該部分では輝度ムラなどが生じる可能性がある。そして、輝度ムラが生じた場合には、視認性が損なわれる可能性がある。
【０００９】
本発明の目的とするところは、視認性の向上を図ることが可能な、新規かつ改良された表示構造体を提供することにある。
【課題を解決するための手段】
【００１０】
上記目的を達成するために、本発明の一の観点によれば、第１の偏光軸を有する第１の偏光を透過させ、上記第１の偏光とは異なる偏光軸を有する偏光を透過させない第１偏光部材と、第２の偏光軸を有する第２の偏光を透過させ、上記第２の偏光とは異なる偏光軸を有する偏光を透過させない第２偏光部材と、を備え、上記第１偏光部材と上記第２偏光部材とは、上記第１の偏光軸と上記第２の偏光軸とが直交するように、所定方向に並んで配置され、上記第１偏光部材、および上記第２偏光部材それぞれには、マークが施され、上記マークが施されている部分には、光学樹脂が充填される、表示構造体が、提供される。
【００１１】
かかる構成では、第１偏光部材および第２偏光部材それぞれのマークが施されている部分に光学樹脂が充填されるので、“偏光部材におけるマークの境界面の影”の影響が低減される。したがって、かかる構成によって、輝度ムラが抑制されるので、視認性の向上を図ることができる。
【００１２】
また、上記光学樹脂は、ＯＣＲ（Optically  Clear  Resin）であってもよい。
【００１３】
また、上記第１偏光部材と上記第２偏光部材とは、上記光学樹脂により貼り合わされていてもよい。
【００１４】
また、上記第１の偏光を透過させ、上記第１の偏光とは異なる偏光軸を有する偏光を透過させない第３偏光部材と、上記第２の偏光軸を有する第２の偏光を透過させ、上記第２の偏光とは異なる偏光軸を有する偏光を透過させない第４偏光部材と、をさらに備え、上記第３偏光部材および上記第４偏光部材それぞれは、上記第１偏光部材および上記第２偏光部材と、光源との間に配置されていてもよい。
【００１５】
また、上記光源をさらに備えていてもよい。
【００１６】
また、上記第１偏光部材および上記第２偏光部材を透過した光を減衰させる光減衰部材をさらに備えていてもよい。
【００１７】
また、上記第１偏光部材および上記第２偏光部材を透過した光を拡散させる拡散部材をさらに備えていてもよい。
【発明の効果】
【００１８】
本発明によれば、視認性の向上を図ることができる。
【図面の簡単な説明】
【００１９】
【図１】本発明の実施形態に係る表示構造体を有する表示装置の一例を示す説明図である。
【図２】偏光部材を用いる表示装置において生じる輝度ムラの一例を説明するための説明図である。
【図３】本発明の実施形態に係る表示構造体を構成する偏光部材の一例を示す説明図である。
【図４】本発明の実施形態に係る表示構造体の構成の一例を示す説明図である。
【図５】本発明の実施形態に係る表示構造体を有する表示装置における表示の一例を示す説明図である。
【発明を実施するための形態】
【００２０】
以下、添付図面を参照しながら、本発明の好適な実施の形態について詳細に説明する。なお、本明細書および図面において、実質的に同一の機能構成を有する構成要素については、同一の符号を付することにより重複説明を省略する。
【００２１】
［１］表示構造体を有する表示装置の一例
まず、表示されるマークの切り替えが可能な、表示構造体を有する表示装置の一例を説明する。
【００２２】
図１は、本発明の実施形態に係る表示構造体を有する表示装置１０００の一例を示す説明図である。表示装置１０００は、例えば、表示装置１０００が備えているバッテリなどの内部電源（図示せず）から供給される電力、または、商用電源などの表示装置１０００の外部電源から供給される電力などによって、駆動する。
【００２３】
表示装置１０００は、偏光部材１００Ａ、１００Ｂと、偏光部材２００Ａ、２００Ｂと、光源ＬＳ１、ＬＳ２とを有する。図１に示す例では、図１に示す上方向、すなわち、偏光部材１００Ｂ側が、表示面側に該当する。
【００２４】
また、表示装置１０００には、例えば、プロセッサ（図示せず）、ＲＯＭ（Read  Only  Memory。図示せず）、ＲＡＭ（Random  Access  Memory。図示せず）が設けられていてもよい。
【００２５】
プロセッサ（図示せず）は、例えば光源ＬＳ１、ＬＳ２それぞれの発光を制御する。後述するように、光源ＬＳ１、ＬＳ２それぞれの発光が制御されることによって、偏光部材１００Ａ、１００Ｂそれぞれを透過する光が変化し、その結果、表示装置１０００における表示が変化する。プロセッサとしては、例えば、ＣＰＵ（Central  Processing  Unit）や、ＭＣＵ（Micro  Controller  Unit）などが、挙げられる。なお、光源ＬＳ１、ＬＳ２それぞれの発光は、表示装置１０００の外部装置（例えば外部のプロセッサ）により制御されてもよい。
【００２６】
ＲＯＭ（図示せず）は、プロセッサ（図示せず）が使用するプログラムや演算パラメータなどの制御用データなどを記憶する。ＲＡＭ（図示せず）は、例えば、プロセッサにより実行されるプログラムなどを一時的に記憶する。なお、ＲＯＭとＲＡＭとの一方または双方は、プロセッサの一部であってもよい。
【００２７】
［１−１］偏光部材１００Ａ、１００Ｂ
偏光部材１００Ａ（第１偏光部材の一例。以下、同様とする。）は、第１の偏光軸を有する第１の偏光を透過させ、第１の偏光とは異なる偏光軸を有する偏光を透過させない。
【００２８】
偏光部材１００Ａとしては、例えば吸収型偏光部材が挙げられる。偏光部材１００Ａが吸収型偏光部材である場合、偏光部材１００Ａは、第１の偏光軸を有する第１の偏光を透過させ、第１の偏光とは異なる偏光軸を有する偏光を吸収する。
【００２９】
偏光部材１００Ａが吸収型偏光部材である場合、偏光部材１００Ａには、例えば穴抜き加工やレーザー加工によって、任意の形状のマーク１１０Ａが施されている。偏光部材１００Ａにおいて穴抜き加工などが施された部分、すなわち、マーク１１０Ａが施されている部分は、偏光方向によらずに光が透過する。マーク１１０Ａの一例については、後述する。なお、偏光部材１００Ａにマーク１１０Ａを施すための加工方法は、特に限定されないが、裁断時のバリを抑制できる加工方法を用いることが望ましい。
【００３０】
なお、偏光部材１００Ａは、吸収型偏光部材に限られない。例えば、偏光部材１００Ａは、反射型偏光部材であってもよい。反射型偏光部材とは、“所定の偏光軸を有する偏光を透過させ、他の偏光軸を有する偏光を反射する偏光部材”である。反射型偏光部材の一例である反射型偏光フィルムは、例えば“グリッド構造を有するフィルム上に、Ａｌ、Ａｇ、Ｃｒなどの金属を蒸着すること”によって、製造される。上記フィルムは、例えば、ＴＡＣ（Triacetylcellulose）やＣＯＰ（Cyclo-Olefin  Polymer）などで形成される。
【００３１】
偏光部材１００Ａが反射型偏光部材である場合、偏光部材１００Ａには、例えば、“穴抜き加工やレーザー加工によって、グリッド構造全体を除去すること”、または“穴抜き加工やレーザー加工によって、金属が蒸着された部分を除去すること”によって、任意の形状のマーク１１０Ａが施されている。偏光部材１００Ａが反射型偏光部材である場合においても、偏光部材１００Ａにおいてマーク１１０Ａが施されている部分は、偏光方向によらずに光が透過する。
【００３２】
偏光部材１００Ｂ（第２偏光部材の一例。以下、同様とする。）は、第２の偏光軸を有する第２の偏光を透過させ、第２の偏光とは異なる偏光軸を有する偏光を透過させない。
【００３３】
偏光部材１００Ｂとしては、例えば、吸収型偏光部材、または反射型偏光部材が挙げられる。偏光部材１００Ｂが吸収型偏光部材である場合、偏光部材１００Ｂは、第２の偏光軸を有する第２の偏光を透過させ、第２の偏光とは異なる偏光軸を有する偏光を吸収する。また、偏光部材１００Ｂが反射型偏光部材である場合、偏光部材１００Ｂは、第２の偏光軸を有する第２の偏光を透過させ、第２の偏光とは異なる偏光軸を有する偏光を反射する。
【００３４】
偏光部材１００Ｂが吸収型偏光部材である場合、偏光部材１００Ｂには、例えば穴抜き加工やレーザー加工によって、任意の形状のマーク１１０Ｂが施されている。また、偏光部材１００Ｂが反射型偏光部材である場合、偏光部材１００Ｂには、例えば“穴抜き加工やレーザー加工によって、グリッド構造全体を除去すること”などによって、任意の形状のマーク１１０Ｂが施されている。偏光部材１００Ｂにおいて穴抜き加工などが施された部分、すなわち、マーク１１０Ｂが施されている部分は、偏光方向によらずに光が透過する。マーク１１０Ｂの一例については、後述する。なお、偏光部材１００Ａと同様に、偏光部材１００Ｂにマーク１１０Ｂを施すための加工方法は、特に限定されない。
【００３５】
偏光部材１００Ａと偏光部材１００Ｂとは、第１の偏光軸と第２の偏光軸とが直交するように、所定方向に並んで配置される。所定方向としては、図１に示すように、表示面に対して垂直方向が挙げられる。
【００３６】
偏光部材１００Ａと偏光部材１００Ｂとが、第１の偏光軸と第２の偏光軸とが直交するように配置されることによって、偏光部材１００Ａを透過する偏光は、偏光部材１００Ｂを透過しない。また、同様に、偏光部材１００Ｂを透過する偏光は、偏光部材１００Ａを透過しない。ここで、本発明の実施形態に係る一の偏光軸と他の偏光軸とが直交するとは、２つの偏光軸がなす角度が９０［°］である場合と、２つの偏光軸がなす角度が９０＋Ｅ［°］（Ｅは、例えば“設計段階などおいて設定される、許容される誤差に相当する有理数”。）である場合とを含む。すなわち、一の偏光軸と他の偏光軸との直交には、厳密な直交と略直交とを含む。
【００３７】
なお、図１では、偏光部材１００Ａと偏光部材１００Ｂとが接しているように示されているが、表示装置１０００の構成は、図１に示す例に限られない。例えば、本発明の実施形態に係る表示装置では、偏光部材１００Ａと偏光部材１００Ｂとの間に間隙があり、偏光部材１００Ａと偏光部材１００Ｂとが当該間隙に充填される光学樹脂（後述する）により貼り合わされていてもよい。
【００３８】
所定方向に並んで配置される偏光部材１００Ａと偏光部材１００Ｂとが、本発明の実施形態に係る表示構造体の一例に該当する。なお、本発明の実施形態に係る表示構造体の構成は、偏光部材１００Ａと偏光部材１００Ｂとに限られない。例えば、本発明の実施形態に係る表示構造体は、図１に示す表示装置１０００の構成、または、後述する表示装置１０００の変形例に係る構成であってもよい。また、本発明の実施形態に係る表示構造体の他の例については、後述する。
【００３９】
［１−２］偏光部材２００Ａ、２００Ｂ
偏光部材２００Ａ（第３偏光部材の一例。以下、同様とする。）は、第１の偏光を透過させ、第１の偏光とは異なる偏光軸を有する偏光を透過させない。つまり、偏光部材２００Ａを透過する偏光の偏光軸は、偏光部材１００Ａを透過する偏光の偏光軸と平行であり、偏光部材２００Ａは、偏光部材１００Ａと同様の性質を有する。
【００４０】
偏光部材２００Ｂ（第４偏光部材の一例。以下、同様とする。）は、第２の偏光を透過させ、第２の偏光とは異なる偏光軸を有する偏光を透過させない。つまり、偏光部材２００Ｂを透過する偏光の偏光軸は、偏光部材１００Ｂを透過する偏光の偏光軸と平行であり、偏光部材２００Ｂは、偏光部材１００Ｂと同様の性質を有する。
【００４１】
ここで、偏光部材２００Ａ、２００Ｂとしては、例えば、吸収型偏光部材、または反射型偏光部材が挙げられる。
【００４２】
偏光部材２００Ａは、偏光部材１００Ａ、１００Ｂと、光源ＬＳ１との間に配置され、光源ＬＳ１から発する光の光路上に設けられる。偏光部材２００Ｂは、偏光部材１００Ａ、１００Ｂと、光源ＬＳ２との間に配置され、光源ＬＳ２から発する光の光路上に設けられる。なお、図１では、“偏光部材２００Ａと２００Ｂとが、図１における水平方向に並んで配置されている例”を示しているが、偏光部材２００Ａと２００Ｂとの配置の例は、図１に示す例に限られない。
【００４３】
［１−３］光源ＬＳ１、ＬＳ２
光源ＬＳ１、ＬＳ２としては、例えば、１つの色を発する１種類のＬＥＤ（Light  Emitting  Diode）、または２つ以上の色をそれぞれ発する複数種類のＬＥＤが、挙げられる。光源の発光は、例えばプロセッサ（図示せず）により制御される。なお、光源ＬＳ１、ＬＳ２は、ＬＥＤに限られず、ハロゲンランプなどの任意の光源であってもよい。
【００４４】
表示装置１０００は、例えば図１に示す構成を有することによって、後述するように表示を変化させることができる。
【００４５】
なお、本発明の実施形態に係る表示装置の構成は、図１に示す例に限られない。
【００４６】
例えば、本発明の実施形態に係る表示装置は、１つの光源を有する構成であってもよい。１つの光源を有する構成である場合、本発明の実施形態に係る表示装置は、例えば下記に示すいずれかの機構を有することによって、図１に示す表示装置１０００と同様の表示の変化が実現される。
・図１に示す光源ＬＳ１または光源ＬＳ２の位置に、光源を移動させることが可能な任意の機構
・光源が発する光路上に偏光部材２００Ａまたは偏光部材２００Ｂが位置するように、偏光部材２００Ａと偏光部材２００Ｂとを移動させることが可能な任意の機構
【００４７】
また、外部の光源から発する光が、偏光部材２００Ａ、２００Ｂの一方または双方に入射される場合、本発明の実施形態に係る表示装置は、光源を備えていなくてもよい。
【００４８】
次に、図１に示す表示装置１０００を例に挙げて、本発明の実施形態に係る表示装置における表示の切り替えについて、説明する。
【００４９】
表示装置１０００では、例えば下記の（１）〜（３）に示す表示が実現可能であり、光源ＬＳ１、ＬＳ２の発光状態によって、これらの表示が切り替えられる。
【００５０】
（１）第１の表示例：偏光部材１００Ｂに施されているマーク１１０Ｂの表示
光源ＬＳ１が発光状態であり、光源ＬＳ２が非発光状態である場合、偏光部材２００Ａは、光源ＬＳ１が発する光のうちの一部の偏光のみを透過させる。
【００５１】
偏光部材２００Ａを透過する偏光の偏光軸は、偏光部材１００Ａを透過する第１の偏光の偏光軸と平行であるので、偏光部材２００Ａを透過した偏光は、偏光部材１００Ａ全体を透過する。
【００５２】
偏光部材２００Ａを透過する偏光の偏光軸は、偏光部材１００Ｂを透過する第２の偏光の偏光軸と直交するので、偏光部材２００Ａおよび偏光部材１００Ａを透過した偏光は、基本的に偏光部材１００Ｂを透過しない。しかしながら、偏光部材１００Ｂにはマーク１１０Ｂが施されているので、偏光部材１００Ｂにおいてマーク１１０Ｂが施されている部分は、偏光部材２００Ａおよび偏光部材１００Ａを透過した偏光が透過する。
【００５３】
よって、偏光部材１００Ｂを透過した光を目にする者は、偏光部材１００Ｂに施されているマーク１１０Ｂを視認することができる。
【００５４】
（２）第２の表示例：偏光部材１００Ａに施されているマーク１１０Ａの表示
光源ＬＳ２が発光状態であり、光源ＬＳ１が非発光状態である場合、偏光部材２００Ｂは、光源ＬＳ２が発する光のうちの一部の偏光のみを透過させる。
【００５５】
偏光部材２００Ｂを透過する偏光の偏光軸は、偏光部材１００Ａを透過する第１の偏光の偏光軸と直交するので、偏光部材２００Ｂを透過した偏光は、基本的に偏光部材１００Ａを透過しない。しかしながら、偏光部材１００Ａにはマーク１１０Ａが施されているので、偏光部材１００Ａにおいてマーク１１０Ａが施されている部分は、偏光部材２００Ｂを透過した偏光が透過する。
【００５６】
偏光部材２００Ｂを透過する偏光の偏光軸は、偏光部材１００Ｂを透過する第２の偏光の偏光軸と平行であるので、偏光部材１００Ａを透過した偏光は、偏光部材１００Ｂ全体を透過する。
【００５７】
よって、偏光部材１００Ｂを透過した光を目にする者は、偏光部材１００Ａに施されているマーク１１０Ａを視認することができる。
【００５８】
（３）第３の表示例：偏光部材１００Ａ、１００Ｂそれぞれに施されているマーク１１０Ａ、１１０Ｂの表示
光源ＬＳ１、ＬＳ２それぞれが発光状態である場合、偏光部材１００Ｂを透過した光を目にする者は、上記（１）に示す第１の表示例と同様に偏光部材１００Ｂに施されているマーク１１０Ｂを視認することができる。また、偏光部材１００Ｂを透過した光を目にする者は、上記（２）に示す第２の表示例と同様に偏光部材１００Ａに施されているマーク１１０Ａを視認することができる。
【００５９】
［２］偏光部材を用いる表示装置において生じる輝度ムラの一例
例えば図１を参照して説明したように、マークが施されている偏光部材を含む表示構造体を用いることによって、表示の切り替えを実現することができる。
【００６０】
しかしながら、上述したように、マークが重なっている部分がある場合、当該部分では輝度ムラなどが生じる可能性がある。
【００６１】
図２は、偏光部材を用いる表示装置において生じる輝度ムラの一例を説明するための説明図である。図２では、図１に示す表示装置１０００と同様の構成の表示装置における、上記（１）に示す第１の表示例を示している。図２に示すマークＡは、マーク１１０Ａに相当し、図２に示すマークＢは、マーク１１０Ｂに相当する。なお、図２における“マークＡにおけるマークＢと重なっていない部分”の表現は、説明の便宜上の表現であり、当該部分は、偏光が透過しないことから視認されない。
【００６２】
図１に示す表示装置１０００と同様の構成を有する表示装置では、上記（１）に示す第１の表示例と同様に、一の偏光部材に施されているマークＢを表示させることが可能である。しかしながら、図２に示すようにマークＢとマークＡとが重なっている場合、例えば下記の例のように、当該部分では輝度ムラなどが生じる可能性がある。
・偏光部材のマークＡ、Ｂの境界面が影となり、マークＡ、Ｂが重なっている部分におけるマークＡ、Ｂの境界線で輝度差が大きくなる。その結果、マークＢの内部において輝度ムラが生じる。
【００６３】
［３］本発明の実施形態に係る表示構造体
本発明の実施形態に係る表示構造体について説明する。以下では、本発明の実施形態に係る表示構造体が、図１に示す偏光部材１００Ａと偏光部材１００Ｂとを含む構成である場合を例に挙げる。
【００６４】
［３−１］本発明の実施形態に係る表示構造体の概要
まず、本発明の実施形態に係る表示構造体の概要を説明する。図２を参照して説明したように、マークが重なっている部分の見た目において輝度ムラが生じる要因の１つは、“偏光部材におけるマークの境界面の影”である。
【００６５】
そこで、本発明の実施形態に係る表示構造体は、“偏光部材１００Ａ、１００Ｂそれぞれにおけるマーク１１０Ａ、１１０Ｂの境界面の影”の影響を低減する。“偏光部材１００Ａ、１００Ｂそれぞれにおけるマーク１１０Ａ、１１０Ｂの境界面の影”の影響が低減されることによって、本発明の実施形態に係る表示構造体を有する表示装置では、輝度ムラが抑制され、視認性の向上が図られる。
【００６６】
具体的には、偏光部材１００Ａおよび偏光部材１００Ｂそれぞれにおいてマーク１１０Ａ、１１０Ｂが施されている部分には、光学樹脂が充填される。
【００６７】
本発明の実施形態に係る光学樹脂は、少なくとも偏光を保持する特性を有する。光学樹脂が偏光を保持する特性を有することによって、位相差のズレによって偏光が崩れることが防止されるので、視認性の低下が防止される。
【００６８】
また、本発明の実施形態に係る光学樹脂は、偏光部材１００Ａと偏光部材１００Ｂとを貼り合わせる役目を果たしてもよい。つまり、本発明の実施形態に係る光学樹脂は、オプティカルボンディング材として機能してもよい。オプティカルボンディング材として機能する光学樹脂としては、例えば紫外線などの所定の波長の光によって光硬化する、液状の樹脂が挙げられる。液状の光学樹脂が用いられることによって、マーク１１０Ａ、１１０Ｂが施されている部分全体に光学樹脂をより容易に充填することができ、また、偏光部材１００Ａと偏光部材１００Ｂとをより容易に貼り合わせることができる。
【００６９】
偏光を保持する特性を有し、かつオプティカルボンディング材として機能する光学樹脂としては、ＯＣＲが挙げられる。光学樹脂として機能するＯＣＲは、シリコーン系のＯＣＲであってもよいし、アクリル系ＯＣＲであってもよい。なお、本発明の実施形態に係る光学樹脂は、ＯＣＲに限られず、少なくとも偏光を保持する特性を有する任意の光学樹脂であってもよい。
【００７０】
図３は、本発明の実施形態に係る表示構造体を構成する偏光部材１００Ａ、１００Ｂの一例を示す説明図である。図３のＡは、図２のマークＢに対応する形状のマーク１１０Ｂが施されている偏光部材１００Ｂの一例を示している。図３のＢは、図２のマークＡに対応する形状のマーク１１０Ａが施されている偏光部材１００Ａの一例を示している。なお、偏光部材１００Ａおよび偏光部材１００Ｂそれぞれに施されているマーク１１０Ａ、１１０Ｂの形状が、図３に示す例に限られないことは、言うまでもない。
【００７１】
図３に示すように、偏光部材１００Ａおよび偏光部材１００Ｂそれぞれにおいてマーク１１０Ａ、１１０Ｂが施されている部分には、ＯＣＲが充填される。マーク１１０Ａ、１１０Ｂが施されている部分に、ＯＣＲなどの光学樹脂が充填されることによって、“偏光部材１００Ａおよび偏光部材１００Ｂそれぞれにおけるマークの境界面の影”が光学樹脂により埋められる。よって、上記“影”の影響が低減されるので、本発明の実施形態に係る表示構造体を有する表示装置では、輝度ムラが抑制され、視認性の向上が図られる。
【００７２】
［３−２］本発明の実施形態に係る表示構造体の構成の例
次に、本発明の実施形態に係る表示構造体の構成の例を説明する。
【００７３】
図４は、本発明の実施形態に係る表示構造体２０００の構成の一例を示す説明図であり、表示構造体２０００の断面を示している。
【００７４】
表示構造体２０００は、偏光部材１００Ａ、１００Ｂと、拡散部材３００と、光減衰部材４００とを有する。図４に示す例では、図４に示す下方向、すなわち、偏光部材１００Ｂ側が、表示面側に該当する。
【００７５】
図１を参照して説明したように、偏光部材１００Ａおよび偏光部材１００Ｂそれぞれには、マーク１１０Ａ、１１０Ｂが施され、また、偏光部材１００Ａおよび偏光部材１００Ｂは、第１の偏光軸と第２の偏光軸とが直交するように、所定方向に並んで配置される。
【００７６】
偏光部材１００Ａと偏光部材１００Ｂとにおけるマーク１１０Ａ、１１０Ｂが施されている部分には、脱泡されたＯＣＲ（光学樹脂の一例。以下、同様とする。）が流し込まれる。流し込まれたＯＣＲが硬化することによって、偏光部材１００Ａと偏光部材１００Ｂとは貼り合わされて固定される。“偏光部材１００Ａと偏光部材１００ＢとがＯＣＲにより貼り合わされて固定されること”によって、“偏光部材１００Ａおよび偏光部材１００Ｂそれぞれにおけるマークの境界面の影”の影響が低減され、輝度ムラが視認され難くなる。また、“偏光部材１００Ａと偏光部材１００ＢとがＯＣＲにより貼り合わされて固定されること”によって、高湿状態などの環境状態によって生じうる表示構造体の変形を抑制することができる。
【００７７】
拡散部材３００は、偏光部材１００Ａおよび偏光部材１００Ｂを透過した光を拡散させる。拡散部材３００としては、例えば、任意の等方性拡散フィルム、任意の等方性拡散板、任意の異方性拡散フィルム、あるいは、任意の異方性拡散板など、光を拡散させる機能を有する任意の部材が挙げられる。
【００７８】
なお、図４では示されていないが、偏光部材１００Ａ、偏光部材１００Ｂ、および拡散部材３００は、ＯＣＲにより貼り合わされて固定されてもよい。偏光部材１００Ｂと拡散部材３００との間にＯＣＲが充填される場合、ＯＣＲが有する偏光を保持する特性により偏光部材１００Ａおよび偏光部材１００Ｂを透過した偏光が保持され、拡散部材３００は、保持された偏光を拡散させる。また、上述したように、偏光部材１００Ｂと拡散部材３００との間にＯＣＲが充填される場合には、環境状態によって生じうる表示構造体の変形を抑制することができる。
【００７９】
光減衰部材４００は、偏光部材１００Ａおよび偏光部材１００Ｂを透過した光を減衰させる。図４に示す表示構造体２０００では、光減衰部材４００は、拡散部材３００により拡散された光を減衰させることとなる。光減衰部材４００により光を減衰させることによって、輝度ムラが視認される可能性をより低減させることが可能となる。
【００８０】
光減衰部材４００としては、例えば灰色系や黒色系の可視光カットフィルタで形成されるスモーク材が、挙げられる。なお、図４では、“光減衰部材４００が、偏光部材１００Ａ、偏光部材１００Ｂ、および拡散部材３００を覆う容器として機能する例”を示しているが、光減衰部材４００は、容器でなくてもよい。
【００８１】
なお、本発明の実施形態に係る表示構造体の構成は、図４に示す例に限られない。
【００８２】
例えば、本発明の実施形態に係る表示構造体は、拡散部材３００と光減衰部材４００との一方または双方を有していなくてもよい。拡散部材３００と光減衰部材４００との一方または双方を有していない場合であっても、偏光部材１００Ａおよび偏光部材１００Ｂそれぞれにおけるマーク１１０Ａ、１１０Ｂが施されている部分に、ＯＣＲなどの光学樹脂が充填される。よって、拡散部材３００と光減衰部材４００との一方または双方を有していない場合であっても、本発明の実施形態に係る表示構造体を有する表示装置では、輝度ムラが抑制され、視認性の向上が図られる。
【００８３】
また、本発明の実施形態に係る表示構造体は、図１に示す偏光部材２００Ａ、２００Ｂをさらに有していてもよい。さらに、本発明の実施形態に係る表示構造体は、図１を参照して説明したような光源を有する構成であってもよい。
【００８４】
図５は、本発明の実施形態に係る表示構造体を有する表示装置における表示の一例を示す説明図である。図５では、図３に示す偏光部材１００Ａおよび偏光部材１００Ｂを含む表示構造体を有する表示装置における、上記（１）に示す第１の表示例を示している。なお、図５における“マーク１１０Ａにおけるマーク１１０Ｂと重なっていない部分”の表現は、説明の便宜上の表現であり、当該部分は、偏光が透過しないことから視認されない。
【００８５】
本発明の実施形態に係る表示構造体では、偏光部材１００Ａおよび偏光部材１００Ｂそれぞれにおけるマーク１１０Ａ、１１０Ｂが施されている部分に、ＯＣＲなどの光学樹脂が充填される。よって、図５に示すようにマーク１１０Ｂとマーク１１０Ａとが重なっている場合であっても、重なっている部分におけるマーク内の輝度ムラが、図２に示す例よりも低減される。
【００８６】
［４］本発明の実施形態に係る表示構造体が用いられることにより奏される効果の一例
本発明の実施形態に係る表示構造体が用いられることによって、例えば下記に示す効果が奏される。なお、本発明の実施形態に係る表示構造体が用いられることにより奏される効果が、下記に示す効果に限られないことは、言うまでもない。
・本発明の実施形態に係る表示構造体を構成する２つの偏光部材の加工箇所が重なる重なり部分における、輝度ムラを低減することができる。
・高湿状態などの環境状態によって生じうる、偏光部材のソリや収縮などの表示構造体の変形を、防止することができる。
【００８７】
［５］本発明の実施形態に係る表示構造体の他の適用例
上記では、本発明の実施形態に係る表示構造体の適用例として表示装置を説明したが、表示構造体の適用例は、マークの表示が想定されうる様々な機器であれば、どのようなものであってもよい。
【００８８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８９】
例えば、上記実施形態においては、“偏光部材１００Ａおよび偏光部材１００Ｂそれぞれにおいてマーク１１０Ａ、１１０Ｂが施されている部分に充填される部材”、ならびに“偏光部材１００Ａと偏光部材１００Ｂとを貼り合わせる部材”の例として、光硬化樹脂を例に挙げた。しかしながら、“偏光部材１００Ａおよび偏光部材１００Ｂそれぞれにおいてマーク１１０Ａ、１１０Ｂが施されている部分に充填される部材”、ならびに“偏光部材１００Ａと偏光部材１００Ｂとを貼り合わせる部材”は、光硬化樹脂に限られず、熱硬化樹脂やその他の樹脂であってもよい。
【符号の説明】
【００９０】
１００Ａ、１００Ｂ、２００Ａ、２００Ｂ  偏光部材、ＬＳ１、ＬＳ２  光源、３００  拡散部材、４００  光減衰部材、１０００  表示装置、２０００  表示構造体
【図１】
2020003607.tif 000003
【図２】
2020003607.tif 000004
【図３】
2020003607.tif 000005
【図４】
2020003607.tif 000006
【図５】
2020003607.tif 000007